(57)【要約】【課題】保守運用装置の構成を意識することなく通信装置の保守運用業務を実施できる分散型保守運用装置を実現することを目的とする。【解決手段】１〜数台の通信装置を管理するローカルノード保守運用装置２ａ〜２ｃと、複数のローカルノード保守運用装置２ａ〜２ｃを統括する広域ノード保守運用装置３と、当該ローカルノード保守運用装置２ａ〜２ｃおよび広域ノード保守運用装置３に遠隔から接続して保守運用実施者が当該通信装置の保守運用業務を行うための保守運用端末４ａ〜４ｃから構成され、個々の通信装置にアクセスする保守運用端末は広域ノード保守運用装置３の認証部６での認証を経てローカルノード保守運用装置に接続し、保守運用を行い、全体の監視は広域ノード保守運用装置３に接続して行うことにより、保守運用端末４ａ〜４ｃの構成を意識することなく保守運用業務を実施することが出来る分散型保守運用装置を構築する。【選択図】        図１
2004214762.tif 000002
【特許請求の範囲】
【請求項１】
通信装置を管理する管理装置の識別情報である管理装置識別情報と前記管理装置によって管理される通信装置の識別情報である通信装置識別情報とを対応させて登録する登録情報テーブルと、
通信装置の保守を行う保守運用端末から通信装置識別情報を含んだ通信装置の保守依頼を受信し、受信した保守依頼に含まれる通信装置識別情報によって識別される通信装置を管理する管理装置を上記登録情報テーブルから選択して認証する認証部と、
上記認証部が認証した管理装置の管理装置識別情報を上記保守運用端末に送信する通信部とを備えた制御装置。
【請求項２】
上記通信部は、管理装置が管理する通信装置を変更する場合、管理装置から変更する通信装置の通信装置識別情報を受信し、
上記認証部は、上記受信された通信装置識別情報に基づいて上記登録情報テーブルに登録されている通信装置識別情報を変更する請求項１に記載された制御装置。
【請求項３】
上記通信部は、管理装置の障害を検知し、所定の条件に基づいて、上記登録情報テーブルに登録された管理装置識別情報から障害を検知した管理装置の替わりに通信装置を管理する管理装置を代替装置として選択し、
上記認証部は、上記通信装置を管理する管理装置を障害が検知された管理装置から上記選択された代替装置に切り替えるために上記登録情報テーブルに登録されている管理装置識別情報と通信装置識別情報との少なくともいずれかを変更する請求項１に記載された制御装置。
【請求項４】
上記登録情報テーブルは、さらに、
通信装置の保守に関する保守情報を登録し、
上記認証部は、上記通信装置を管理する管理装置を障害が検知された管理装置から上記選択された代替装置に切り替えるために必要な保守運用情報を上記登録情報テーブルから選択し、
上記通信部は、上記選択された保守運用情報を上記代替装置に通知する請求項３に記載された制御装置。
【請求項５】
通信装置を管理する管理装置と管理装置を制御する制御装置とが接続された管理システムであって、
上記制御装置は、
管理装置の識別情報である管理装置識別情報と前記管理装置によって管理される通信装置の識別情報である通信装置識別情報とを対応させて登録する登録情報テーブルと、
通信装置の保守を行う保守運用端末から通信装置識別情報を含んだ通信装置の保守依頼を受信し、受信した保守依頼に含まれる通信装置識別情報によって識別される通信装置を管理する管理装置を上記登録情報テーブルから選択して認証する認証部と、
上記認証部が認証した管理装置の管理装置識別情報を上記保守運用端末に送信する通信部とを備え、
上記管理装置は、
上記登録情報テーブルに登録された自己の管理装置識別情報に対応する通信装置識別情報を登録するローカル登録情報テーブルと、
上記ローカル登録情報テーブルに登録された通信装置識別情報を持つ通信装置を管理する管理部とを備えた管理システム。
【請求項６】
上記管理システムは、上記登録情報テーブルと上記ローカル登録情報テーブルとの替わりに上記登録情報テーブルに登録された情報を含んだデータベース部を備え、
上記制御装置は上記データベース部に含まれた上記登録情報テーブルを使用して通信装置を制御し、
上記管理装置は、上記データベース部に含まれた上記登録情報テーブルを使用して上記管理装置を管理する請求項５に記載された管理システム。
【請求項７】
通信装置を管理する管理装置の識別情報である管理装置識別情報と前記管理装置によって管理される通信装置の識別情報である通信装置識別情報とを対応させて登録情報テーブルに登録し、
通信装置の保守を行う保守運用端末から通信装置識別情報を含んだ通信装置の保守依頼を受信し、受信した保守依頼に含まれる通信装置識別情報によって識別される通信装置を管理する管理装置を上記登録情報テーブルから選択して認証し、
上記認証した管理装置の管理装置識別情報を上記保守運用端末に送信する管理方法。
【請求項８】
通信装置を管理する管理装置の識別情報である管理装置識別情報と前記管理装置によって管理される通信装置の識別情報である通信装置識別情報とを対応させて登録情報テーブルに登録する処理と、
通信装置の保守を行う保守運用端末から通信装置識別情報を含んだ通信装置の保守依頼を受信し、受信した保守依頼に含まれる通信装置識別情報によって識別される通信装置を管理する管理装置を上記登録情報テーブルから選択して認証する処理と、
上記認証した管理装置の管理装置識別情報を上記保守運用端末に送信する処理とをコンピュータに実行させる管理プログラム。
【請求項９】
通信装置を管理する管理装置の識別情報である管理装置識別情報と前記管理装置によって管理される通信装置の識別情報である通信装置識別情報とを対応させて登録情報テーブルに登録する処理と、
通信装置の保守を行う保守運用端末から通信装置識別情報を含んだ通信装置の保守依頼を受信し、受信した保守依頼に含まれる通信装置識別情報によって識別される通信装置を管理する管理装置を上記登録情報テーブルから選択して認証する処理と、
上記認証した管理装置の管理装置識別情報を上記保守運用端末に送信する処理とをコンピュータに実行させるための管理プログラムを記録したコンピュータ読み取り可能な記録媒体。
【発明の詳細な説明】
【０００１】
【発明の属する技術分野】
この発明は、複数の通信装置を遠隔から監視・制御する保守及び運用に関する装置及び方法に関するものである。
【０００２】
【従来の技術】
近年のインターネットの発展に伴い、ネットワークを構成する大量の通信装置の保守運用に対する要求は増大しており、保守運用システムにかかる負荷を軽減し、効率的なシステムを構築する必要性が高まっている。
【０００３】
例えば、従来の保守運用処理を分散したシステムにおいて、複数の通信装置と、通信装置のいくつかを管理するローカルノード保守運用装置と、ローカルノード保守運用装置に対する操作を行うためのローカル保守運用端末と、全てのローカルノード保守運用装置と接続され保守運用システム全体を統括するための広域ノード保守運用装置と、広域ノード保守運用装置に対する操作を行うための広域保守運用端末からなり、ローカルノード保守運用装置と広域ノード保守運用装置で処理を分担することによりシステム全体の処理能力を高めていた（例えば、特許文献１参照）。
【０００４】
【特許文献１】
特開２０００−２９５２２０号公報
【０００５】
【発明が解決しようとする課題】
しかし、従来のシステム構成においては、個々の保守運用装置に対する負荷は低減できるが、どの通信装置に対する操作を行うかにより操作する保守運用端末が異なることになり、集中管理を行っている場合に比べて管理業務が煩雑になるという問題があった。
【０００６】
本発明では複数の保守運用端末からなる保守運用システムにおいて、保守運用端末の構成を意識することなく通信装置の保守運用業務を実施できる分散型保守運用装置を実現することを目的とする。
【０００７】
【課題を解決するための手段】
本発明に係る制御装置は、通信装置を管理する管理装置の識別情報である管理装置識別情報と前記管理装置によって管理される通信装置の識別情報である通信装置識別情報とを対応させて登録する登録情報テーブルと、
通信装置の保守を行う保守運用端末から通信装置識別情報を含んだ通信装置の保守依頼を受信し、受信した保守依頼に含まれる通信装置識別情報によって識別される通信装置を管理する管理装置を上記登録情報テーブルから選択して認証する認証部と、
上記認証部が認証した管理装置の管理装置識別情報を上記保守運用端末に送信する通信部とを備える。
【０００８】
【発明の実施の形態】
実施の形態１．
以下、実施の形態１について説明する。
図１は本発明の実施の形態１のシステム構成を示したものである。
【０００９】
まず、図１に示すシステムを構成する各構成について説明する。
図１において、通信装置１ａ〜１ｇは通信装置を管理するローカルノード保守運用装置２ａ〜２ｃと接続されている。ここで、ローカルノード保守運用装置２ａ〜２ｃは、通信装置１ａ〜１ｇを管理する管理装置の一例であり、各々の管理装置は管理装置を識別する管理装置識別情報を持っている。また、通信装置１ａ〜１ｇも各々の通信装置を識別する通信装置識別情報を持っている。管理装置識別情報及び通信装置識別情報の例としては、各装置ごとのＩＤ番号等が挙げられる。
複数のローカルノード保守運用装置を統括する広域ノード保守運用装置３は、ローカルノード保守運用装置２ａ〜２ｃと接続されている。ここで、広域ノード保守運用装置３は、複数のローカルノード保守運用装置を統括・制御する制御装置の一例である。
保守運用端末４ａ〜４ｃは、ローカルノード保守運用装置２ａ〜２ｃおよび広域ノード保守運用装置３に遠隔から接続されており、保守運用実施者が通信装置１ａ〜１ｇの保守運用業務を行うための端末である。
【００１０】
広域ノード保守運用装置３内には、認証部６と登録情報テーブル７と通信部５が用意されている。
認証部６は、通信装置１ａ〜１ｇの保守を行う保守運用端末４ａ〜４ｃから通信装置識別情報を含んだ通信装置１ａ〜１ｇの保守依頼を受信し、受信した保守依頼に含まれる通信装置識別情報によって識別される通信装置を管理するローカルノード保守運用装置を登録情報テーブル７から選択することにより通信装置を管理するローカルノード保守運用装置を認証する部である。
登録情報テーブル７はどの通信装置がどのローカルノード保守運用装置で管理されているかを表す情報を記録している。すなわち、登録情報テーブル７は、通信装置１ａ〜１ｇを管理するローカルノード保守運用装置２ａ〜２ｃの識別情報である管理装置識別情報とローカルノード保守運用装置２ａ〜２ｃによって管理される通信装置１ａ〜１ｇの識別情報である通信装置識別情報とを対応させて登録している。
通信部５は、ローカルノード保守運用装置２ａ〜２ｃとの通信を行う部である。
【００１１】
上記各々のローカルノード保守運用装置２ａ〜２ｃは、通信装置１ａ〜１ｇの内どの通信装置を管理するかを表す情報を記録するローカル登録情報テーブル１０ａ〜１０ｃを有している。すなわち、ローカル登録情報テーブル１０ａには、登録情報テーブル７に登録されたローカルノード保守運用装置２ａの管理装置識別情報に対応して記録されている通信装置識別情報が登録されており、ローカルノード保守運用装置２ａの管理部９ａは、ローカル登録情報テーブル１０ａに基づいてローカル登録情報テーブル１０ａに登録された通信装置識別情報を持つ通信装置を管理する。ローカルノード保守運用装置２ｂの管理部９ｂ、ローカルノード保守運用装置２ｃの管理部９ｃも同様に、ローカル登録情報テーブル１０ｂ、ローカル登録情報テーブル１０ｃに登録された通信装置識別情報を持つ通信装置を管理する。
【００１２】
図２は登録情報テーブル７の実現例であり、各ローカルノード保守運用装置の管理装置識別情報（２ａ〜２ｃ）と各通信装置の通信装置識別情報（１ａ〜１ｇ）との接続関係を表す表となっている。
なお、対応関係が明確にされていれば、登録情報テーブル７の記録方法は表の形でなくてもかまわず、また上記識別情報以外の別の情報を含んでいてもかまわない。
【００１３】
図３はローカル登録情報テーブル１０ａの実現例であり、ローカルノード保守運用装置２ａで管理される通信装置の通信装置識別情報（１ａ、１ｂ）を示す表となっている。ローカルノード保守運用装置２ｂで管理される通信装置の表であるローカル登録情報テーブル１０ｂ及びローカルノード保守運用装置２ｃで管理される通信装置の表であるローカル登録情報テーブル１０ｃも同様の構成である。
なお、ローカル登録情報テーブル１０の記録方法は表の形でなくてもかまわず、また上記別の情報を含んでいてもかまわない。
【００１４】
図１に示すように、通信装置１ａ〜１ｇは、自己を管理するローカルノード保守運用装置２ａ〜２ｃと保守用回線で接続されている。またローカルノード保守運用装置２ａ〜２ｃと広域ノード保守運用装置３および保守運用端末４ａ〜４ｃは、例えばＬＡＮの様に任意の装置間の接続が可能な保守用回線で接続されている。
【００１５】
次に、上記システムにおける通信装置の保守・運用の動作について説明する。保守運用端末４ａから通信装置の管理作業を行う場合、まず保守運用端末４ａは広域ノード保守運用装置３と接続する。すなわち、保守運用端末４ａは通信装置の保守を行うために広域ノード保守運用装置３の認証部６に通信装置識別情報を含んだ通信装置１ａ〜１ｇの保守依頼を送信する。
【００１６】
例えば、保守運用端末４ａから通信装置１ａに対する操作を指定した場合には、まず広域ノード保守運用装置３内の認証部６は、登録情報テーブル７を検索し、上記保守依頼に含まれる通信装置識別情報に基づいて通信装置識別情報から識別される通信装置１ａがどのローカルノード保守運用装置で管理されているかを判定する。
検索の結果、通信装置１ａがローカルノード保守運用装置２ａで管理されていることが判明すると、広域ノード保守運用装置３の通信部５は、保守運用端末４ａにローカルノード保守運用装置２ａの識別情報（管理装置識別情報）を通知することによって、ローカルノード保守運用装置２ａと接続する様指示を出し、その指示により自動的に２ａと接続された保守運用端末４ａはローカルノード保守運用装置２ａに対して通信装置１ａへの操作を指定する。
【００１７】
上記の手順により、保守運用端末４ａから通信装置１ａへの保守・運用操作が実施される。保守運用端末４ｂ及び保守運用端末４ｃから通信装置への保守・運用操作も上記の場合と同様に実施される。
【００１８】
次に、保守運用端末４ａからローカルノード保守運用装置２ａに対して通信装置の登録や削除を行う場合を説明する。この場合も、まず、保守運用端末４ａは広域ノード保守運用装置３に接続し、接続された後に広域ノード保守運用装置３から接続先であるローカルノード保守運用装置２ａを指定され、その指示により自動的に指定されたローカルノード保守運用装置２ａと接続される。
【００１９】
ローカル保守運用装置２ａに接続された後、例えば、保守運用端末４ａからいずれかの通信装置の登録や削除の指示を受けると、それに伴ってローカル保守運用装置２ａの管理部９ａは、ローカル登録情報テーブル１０ａの内容を変更する。すなわち、管理部９ａは、保守運用端末４ａから登録の指示を受けた場合、指示を受けた通信装置識別情報をローカル登録情報テーブル１０ａへ追加する。また、管理部９ａは、保守運用端末４ａから削除の指示を受けた場合には、指示を受けた通信装置識別情報をローカル登録情報テーブル１０ａから削除する。
また、ローカルノード保守運用装置４ａの管理部９ａは、ローカル登録情報テーブル１０ａを変更した内容である変更した通信装置の通信装置識別情報を広域ノード保守運用装置３に送信し、広域ノード保守運用装置３の通信部５は、その情報を受信し、広域ノード保守運用装置３の認証部６は受信した情報である通信装置識別情報に従って登録情報テーブル７の通信装置識別情報を変更する。
保守運用端末４ａ及び保守運用端末４ｂによる通信装置の登録や削除についても同様の手順で行われる。
【００２０】
以上の説明は、通信装置を管理する管理装置と管理装置を制御する制御装置とが接続された管理システムの一例である。この管理システムは、通信装置をメンテナンスする場合のみでなく、通信装置を何らかの形で管理する場合に構築されることができる。そして、制御装置は、管理装置の識別情報である管理装置識別情報と前記管理装置によって管理される通信装置の識別情報である通信装置識別情報とを対応させて登録する登録情報テーブル７を用いて、通信装置の保守を行う保守運用端末から通信装置識別情報を含んだ通信装置の保守依頼を受信し、受信した保守依頼に含まれる通信装置識別情報によって識別される通信装置を管理する管理装置を登録情報テーブル７から選択して認証する認証部６を有する。また、制御装置の通信部５は、認証部６が認証した管理装置の管理装置識別情報を保守運用端末に通知する。
また、管理装置の管理部９は、登録情報テーブル７に登録された自己の管理装置識別情報に対応する通信装置識別情報を登録するローカル登録情報テーブル１０を用いて、ローカル登録情報テーブル１０に登録された通信装置識別情報を持つ通信装置を管理する。このようにして、本実施の形態のシステムは、保守運用端末が通信装置を保守等することを管理することができる。
【００２１】
本実施の形態の発明において、１〜数台の通信装置を管理するローカルノード保守運用装置２ａ〜２ｃと、複数のローカルノード保守運用装置２ａ〜２ｃを統括する広域ノード保守運用装置３と、当該ローカルノード保守運用装置２ａ〜２ｃおよび広域ノード保守運用装置３に遠隔から接続して、保守運用実施者が当該通信装置１ａ〜１ｇの保守運用業務を行うための保守運用端末４ａ〜４ｃから構成され、個々の通信装置にアクセスする保守運用端末は広域ノード保守運用装置３での認証を経てローカルノード保守運用装置に接続し、保守運用を行い、全体の監視は広域ノード保守運用装置３に接続して行うことにより、保守運用端末４ａ〜４ｃの構成を意識することなく保守運用業務を実施することが出来る分散型の保守運用システムを構築することが可能となり、集中管理の場合と同様の操作性を実現できる。
【００２２】
実施の形態２．
次に、実施の形態２について説明する。
図４は本発明の実施の形態２のシステム構成を示したものである。
図４において、通信装置１ａ〜１ｄは、ローカルノード保守運用装置２ａ〜２ｃによって管理される。
広域ノード保守運用装置３は複数のローカルノード保守運用装置２ａ〜２ｃを統括する。
保守運用端末４ａ〜４ｃはローカルノード保守運用装置２ａ〜２ｃおよび広域ノード保守運用装置３に遠隔から接続して保守運用実施者が通信装置１ａ〜１ｄの保守運用業務を行うため端末である。
広域ノード保守運用装置３は、内部構成として、認証部６とローカルノード保守運用情報蓄積部を含む登録情報テーブル１７と通信を行う通信部５とを有している。
【００２３】
ローカルノード保守運用装置２ａ〜２ｃは、内部構成として、そのローカルノード保守運用装置でどの通信装置が管理されているかを表すローカル登録情報テーブル１０ａ〜１０ｃとローカル登録情報テーブル１０ａ〜１０ｃによって通信装置を管理する管理部９ａ〜９ｃとを有している。
また、通信装置１ａ〜１ｄとローカルノード保守運用装置２ａ〜２ｃ間の保守用回線はＬＡＮの様に任意の接続が可能な回線であればよい。
【００２４】
図５はローカルノード保守運用情報蓄積部を含む登録情報テーブル１７の実施例であり、図２の登録情報テーブル７登録されていたローカルノード保守運用装置の識別情報と通信装置の識別情報に加えて各通信装置１ａ〜１ｄの加入者登録情報などのローカルノード保守運用情報蓄積部を含んでいる。なお、ここでは同一の表として示したが、通信装置１ａ〜１ｄやローカルノード保守運用装置２ａ〜２ｃとの対応関係がわかる形であれば別の表で実現してもかまわず、また表の形でなくてもかまわない。また、ローカルノード保守運用情報の例として加入者登録情報をあげたが、これ以外の情報を含んでもかまわず、通信装置の保守に関する所定の保守情報であればよい。また、不要であれば、ローカルノード保守運用情報として加入者登録情報を含まなくてもかまわない。
【００２５】
図２において、ローカルノード保守運用装置２ｂに障害が発生し、使用不能になった場合について説明する。このような障害時には、広域ノード保守運用装置３の通信部５が障害を検知する。
障害を検知した広域ノード保守運用装置３の通信部５は、登録情報テーブル１７を検索し、通信装置が登録されていないローカルノード保守運用装置があればそれをローカルノード保守運用装置２ｂの代替装置として選択する。また、通信装置が登録されていないローカルノード保守運用装置が無ければ、例えば登録台数が一番少ないなど何らかの判断基準によりローカルノード保守運用装置２ｂの替わりに通信装置を管理するための代替装置を選択する。図４および図５の例では、ローカルノード保守運用装置２ｃがローカルノード保守運用装置２ｂの代替装置となる。
【００２６】
代替装置が選択されると、広域ノード保守運用装置３の認証部６は、それまで障害を起こしたローカルノード保守運用装置２ｂで管理されていた通信装置が新たに代替装置であるローカルノード保守運用装置２ｃで管理されるように登録情報テーブル１７の内容を変更する。すなわち、認証部６は、通信装置を管理するローカルノード保守運用装置を障害が検知されたローカルノード保守運用装置２ｂから上記選択された代替装置に切り替えるために、登録情報テーブル１７に登録されている管理装置識別情報と通信装置識別情報との少なくともいずれかを変更する。
【００２７】
次に広域ノード保守運用装置３は、変更された登録情報テーブル１７から代替装置に関する情報を抽出し、それをもとに代替装置用の新しいローカル登録情報テーブルを生成する。また、ローカルノード保守運用情報蓄積部からも必要な保守情報を抽出する。
【００２８】
通信部５は、抽出された保守情報を代替装置に送る。
代替装置は送られてきた保守情報をもとに自身の状態を更新し、それまでローカルノード保守運用装置２ｂで管理されていた通信装置を管理し始める。この時、新たな情報に基づいた管理が可能になったことを広域ノード保守運用装置３に通知する。
【００２９】
通知を受け取った広域ノード保守運用装置３の通信部５は、それまでローカルノード保守運用装置２ｂに接続されていた保守運用端末４ａに接続先の変更を通知し、この通知により各保守運用端末の接続先が切り替えられる。
【００３０】
本実施の形態の発明において、登録情報テーブル１７は、任意のローカルノード保守運用装置を再構成するために必要な情報を蓄積しておくローカルノード保守運用情報蓄積部を持ち、ローカルノード保守運用装置を通信装置の管理に必要な台数より１台以上多く用意しておき、ローカルノード保守運用装置の故障時には広域ノード保守運用装置３がローカルノード保守運用情報蓄積部に格納した情報をもとに故障したローカルノード保守運用装置を未使用のローカルノード保守運用装置と自動的に置き換えることにより、ローカルノード保守運用装置が故障しても、システムダウンすることなく、運用可能な分散型保守運用装置を構築できるため、保守運用システムの信頼性が向上する。
【００３１】
実施の形態３．
次に、実施の形態３について説明する。
図６は本発明の実施の形態３のシステム構成を示したものである。
【００３２】
図６において、通信装置１ａ〜１ｇはであり、ローカルノード保守運用装置２ａ〜２ｃによって管理されている。
広域ノード保守運用装置３は複数のローカルノード保守運用装置を統括する。保守運用端末４ａ〜４ｃはローカルノード保守運用装置２ａ〜２ｃおよび広域ノード保守運用装置３に遠隔から接続して、保守運用実施者が通信装置の保守運用業務を行うための端末である。
認証部６は、広域ノード保守運用装置３内に用意され、登録情報テーブル７はどの通信装置がどのローカルノード保守運用装置で管理されているかを表す。広域ノード保守運用装置３が使用する登録情報テーブル７はデータベース部８に格納されている。
また、広域ノード保守運用装置３やローカルノード保守運用装置２ａ〜２とはＬＡＮのような任意の接続が可能な回線で接続されている。
【００３３】
本実施の形態において、広域ノード保守運用装置３で登録情報テーブル７にアクセスする必要が生じた場合には、広域ノード保守運用装置３はデータベース部８にアクセスし、アクセスを受けたデータベース部８はデータベース部８に含まれる登録情報テーブル７に対する操作を行い、操作の結果を広域ノード保守運用装置３に返す。
また、各ローカルノード保守運用装置もローカル登録情報テーブル１０ａ〜１０ｃのかわりに当該データベース部８に記憶された登録情報テーブル７を参照する。
このような構成にすることにより、この実施の形態の場合には、実施の形態１、２で示したローカルノード保守運用装置の情報の抽出処理が不要となる。
【００３４】
本実施の形態の発明において、広域ノード保守運用装置３および各ローカルノード保守運用装置２ａ〜２ｃが使用するデータベース部８を広域ノード保守運用装置３および各ローカルノード保守運用装置２ａ〜２ｃと独立の保守運用データ管理装置として用意し、各保守運用装置は必要なデータの参照・格納に当該保守運用データ管理装置を用いることにより、広域ノード保守運用装置３のデータ管理の負荷がデータベース部８に分散されるとともに、保守運用装置全体のデータ管理の手間が軽減されるため、個々の保守運用装置の負荷をさらに低減した分散型保守運用装置を構築することができる。
【００３５】
図７は、広域ノード保守運用装置３及びローカルノード保守運用装置２ａ〜２ｃのコンピュータ基本構成図である。
図７において、プログラムを実行するＣＰＵ（Ｃｅｎｔｒａｌ  Ｐｒｏｃｅｓｓｉｎｇ  Ｕｎｉｔ）４０は、バス３８を介してモニタ４１、キーボード４２、マウス４３、通信ポート４４、磁気ディスク装置４６等と接続されている。
磁気ディスク装置４６には、ＯＳ４７、プログラム群４９、ファイル群５０が記憶されている。ただし、プログラム群４９、ファイル群５０が一体となってオブジェクト指向のプログラム群４９を形成する形態も一実施の形態として考えられる。
プログラム群４９は、ＣＰＵ４０、ＯＳ４７により実行される。
上記各実施の形態では、広域ノード保守運用装置３及びローカルノード保守運用装置２ａ〜２ｃは、通信ポート４４の機能を使用して、ＬＡＮ等を経由して互いに通信し、また、複数の保守運用端末４ａ〜４ｃや通信装置１ａ〜１ｇと通信する。
【００３６】
以上に記載した「格納する」、「蓄積する」、「登録する」、「記憶する」という用語は、記録媒体に保存することを意味する。
【００３７】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
また、上記各構成要素の動作を、各構成要素の処理と置き換えることにより、プログラムの実施の形態とすることができる。
また、プログラムを、プログラムを記録したコンピュータ読み取り可能な記録媒体に記憶させることで、プログラムに記録したコンピュータ読み取り可能な記録媒体の実施の形態とすることができる。
【００３８】
プログラムの実施の形態及びプログラムに記録したコンピュータ読み取り可能な記録媒体の実施の形態は、すべてコンピュータで動作可能なプログラムにより構成することができる。
プログラムの実施の形態およびプログラムを記録したコンピュータ読み取り可能な記録媒体の実施の形態における各処理はプログラムで実行されるが、このプログラムは、記録装置に記録されていて、記録装置から中央処理装置（ＣＰＵ）に読み込まれ、中央処理装置によって、各フローチャートが実行されることになる。
また、各実施の形態のソフトウェアやプログラムは、ＲＯＭ（ＲＥＡＤ  ＯＮＬＹ  ＭＥＭＯＲＹ）に記憶されたファームウェアで実現されていても構わない。あるいは、ソフトウェアとファームウェアとハードウェアとの組み合わせで前述したプログラムの各機能を実現しても構わない。
【００３９】
【発明の効果】
保守運用端末の構成を意識することなく通信装置の保守運用業務を実施できる分散型保守運用装置を実現することができる。
【図面の簡単な説明】
【図１】実施の形態１のシステム構成図である。
【図２】登録情報テーブルの一例である。
【図３】ローカル登録情報テーブルの一例である。
【図４】実施の形態２のシステム構成図である。
【図５】ローカルノード保守運用情報蓄積部を含む登録情報テーブル１７の一例である。
【図６】実施の形態３のシステム構成図である。
【図７】広域ノード保守運用装置３及びローカルノード保守運用装置２ａ〜２ｃのコンピュータ基本構成図である。
【符号の説明】
１ａ〜１ｇ  通信装置、２ａ〜２ｃ  ローカルノード保守運用装置、３  広域ノード保守運用装置、４ａ〜４ｃ  保守運用端末、５  通信部、６  認証部、７，１７  登録情報テーブル、８  データベース部、９  管理部、１０ａ〜１０ｃローカル登録情報テーブル、３８  バス、４０  ＣＰＵ、４１  モニタ、４２キーボード、４３  マウス、４４  通信ポート、４６  磁気ディスク装置、４７  ＯＳ、４９  プログラム群、５０  ファイル群。
【図１】
2004214762.tif 000003
【図２】
2004214762.tif 000004
【図３】
2004214762.tif 000005
【図４】
2004214762.tif 000006
【図５】
2004214762.tif 000007
【図６】
2004214762.tif 000008
【図７】
2004214762.tif 000009